(57)【要約】【課題】  油膜等の水面付近の汚れを除去するにあたり、従来では新聞紙等を浮かせて取る等の煩雑な操作であった。そこで水面付近の汚れを容易に除去することのできる水槽，オーバーフローパイプの仕切部材を提供することを目的とする。【解決手段】  オーバーフローパイプ61を囲う仕切部材11が、その下方に通水部63を備えると共に、上方に開閉自在の窓部を備えたものである。この窓部は開口部１５と、その上下に形成された上下レール部１３，１４と、これに嵌装可能な引き戸部材１２とにより構成されている。引き戸部材１２を適宜スライドさせて（矢印Ｃ）開口部１５を開け、水面付近の水を排出水域６５に導いてオーバーフローパイプ６１から排出する。【選択図】      図２
2007043944.tif 000002
【特許請求の範囲】
【請求項１】
オーバーフローパイプを備えた水槽において、
前記オーバーフローパイプを囲う仕切部材が、その下方に通水部を備えると共に、上方に開閉自在の窓部を備えたものであることを特徴とする水槽。
【請求項２】
前記窓部は、前記仕切部材に設けられた開口部と、該開口部の上下にそれぞれ形成されたレール部と、該レール部に嵌装可能な引き戸部材とにより構成されたものである請求項１に記載の水槽。
【請求項３】
前記引き戸部材にストッパーが設けられたものである請求項２に記載の水槽。
【請求項４】
前記開口部は縦方向の複数のスリット孔により構成されたものである請求項２に記載の水槽。
【請求項５】
前記引き戸部材に、前記開口部と同形で且つ半ピッチずれた縦方向の複数のスリット孔が設けられたものである請求項４に記載の水槽。
【請求項６】
請求項１〜５のいずれか１項に記載の水槽に用いられる前記仕切部材であることを特徴とするオーバーフローパイプの仕切部材。
【発明の詳細な説明】
【技術分野】
【０００１】
本発明は、オーバーフローパイプを備えた水槽、並びに該水槽のオーバーフローパイプを囲う仕切部材に関するものである。前記水槽としては観賞用，養殖用，水族館用等の様々な用途に用いられる。
【背景技術】
【０００２】
水槽内の水は、飼育されている魚等によって徐々に汚染されることから、この水を循環濾過させることが一般に行われている。この水循環式水槽としては、オーバーフローパイプを設け、ここから排出された水を濾過装置により濾過し、再び水槽に返すという構成のものが知られている（例えば特許文献１の図４参照）。
【０００３】
図１０の（ａ）は従来の水槽６０の一例を表す斜視図であり、（ｂ）は、該水槽６０における仕切部材６２の構造を説明するための断面図であって、（ａ）に示す矢印Ａ方向から見た水槽６０の縦断面図である。尚図１０（ｂ）においては端面を図示している。
【０００４】
該水槽６０は直方体で、その１つのコーナー部６０ａ近傍にオーバーフローパイプ６１が底板を貫通して立設され、これを四角く囲う様にして、前面部６２ａと側面部６２ｂからなる仕切部材６２が設けられている。仕切部材６２の下方には、この仕切部材６２が囲う内側（排出水域６５）と外側（魚等の生息域６４）を貫通する通水孔（通水部）６３が複数形成されている。尚、水槽６０の側壁及び仕切部材６２は透明材料で構成されているが、図１０（ａ）では説明を簡略化するために、これら水槽側壁，仕切部材６２の向こう側に見える部材を破線で表している。また同図において水面を仮想線（二点鎖線）で表している。
【０００５】
仕切部材６２の外側の生息域６４の水は、通水孔６３を通って仕切部材６２の内側（排出水域６５）に入り（矢印Ｅ）、排出水域６５を上昇して（矢印Ｆ）オーバーフローパイプ６１の上部開口６１ａからパイプ６１内に溢れ入る（矢印Ｇ）。該オーバーフローパイプ６１から排出された水は（矢印Ｈ）、外部濾過器（図示せず）により濾過され、給水パイプ６６から再び水槽６０の生息域６４へと供給される（矢印Ｉ）。この様にして水槽６０内の水が濾過されて循環している。
【０００６】
因みに、魚が糞等をすることにより汚れた水は底の方に溜まる傾向にあり、これ故、下方部分に通水孔６３を有する仕切部材６２でオーバーフローパイプ６１を囲い、この汚れた底付近の水を優先して排出できる様にしているのである。
【特許文献１】特開平９−２２４５２５号公報（例えば図４）
【発明の開示】
【発明が解決しようとする課題】
【０００７】
ところで、殊に肉食魚を飼育する場合には、その餌に油分が含まれていることが多く、この為に水面に油膜ができることがある。この様な油膜があると、溶存酸素量を増やすことができず、病原性のバクテリア等が発生し易い環境になって、魚だけでなく水草にとっても環境が悪くなる。
【０００８】
このため、時折、新聞紙や吸い取り紙を水面に浮かべて油膜を取り除くという操作を行う必要があるが、該油膜取り操作は煩雑である上、操作時に飛ばした水で水槽回りを汚す等の問題がある。また水面部分のみを吸引除去する油膜取り装置も提供されているが、該装置は高価である。
【０００９】
そこで本発明においては、安価でありながらも、油膜等の水面付近の汚れを容易に除去することのできる水槽を提供すること、また同じく、安価であって水面付近の汚れを容易に除去可能なオーバーフローパイプの仕切部材を提供することを目的とする。
【課題を解決するための手段】
【００１０】
本発明に係る水槽は、オーバーフローパイプを備えた水槽であって、前記オーバーフローパイプを囲う仕切部材が、その下方に通水部を備えると共に、上方に開閉自在の窓部を備えたものであることを特徴とする。また本発明に係る仕切部材は、水槽のオーバーフローパイプを囲うものであって、該仕切部材の下方に通水部を備えると共に、上方に開閉自在の窓部を備えたものであることを特徴とする。
【００１１】
この様に仕切部材の上方に開閉自在な窓部を備えるので、適宜この窓部を開け、仕切部材で囲った内側（排出水域側）に水面付近の汚れを導き入れることができ、そしてオーバーフローパイプから排出することが可能となる。
【００１２】
尚本発明に係る水槽，仕切部材は、上述の循環式の水槽に限るものではなく、オーバーフローパイプを備えた水槽であればいずれも適用可能である。
【００１３】
更に本発明において、前記窓部が、前記仕切部材に設けられた開口部と、該開口部の上下にそれぞれ形成されたレール部と、該レール部に嵌装可能な引き戸部材とにより構成されたものであることが好ましい。この様な窓部であれば、構成が簡単で、安価に製造できるからである。そして上記レール部を敷居として上記引き戸部材をスライドさせることにより、上記開口部を全開にしたり、半開にしたり、或いは閉めるという様に開け放つ程度を調整することができる。
【００１４】
加えて前記窓部における前記引き戸部材にストッパーが設けられたものであることが好ましい。上記ストッパーにより引き戸部材が脱落することを防止できるからである。
【００１５】
上記ストッパーとして具体的には、例えば、前記引き戸部材に対してその内外に貫通して螺合するボルトを設け、引き戸部材面から突出する上記ボルトの部分が前記開口部の縁に当接可能となったものが挙げられる。尚ボルトを深く締め込んだときにはボルト先端部分が突出し、浅く螺合させたときにはボルト頭部分が突出することになることから、この突出する側に開口部の縁が位置する様にすると良い。
【００１６】
また本発明においては、前記開口部が縦方向の複数のスリット孔により構成されたものであっても良い。スリット孔にすることにより、水槽生息域（仕切部材外側）内の魚が排出水域（仕切部材内側）内に入ることを防止できるからである。
【００１７】
更に上記の如く複数のスリット孔により開口部を構成したものの場合において、前記引き戸部材として、前記開口部と同形で且つ半ピッチずれた縦方向の複数のスリット孔を設けたものを用いても良い。この場合、開口部であるスリット孔と、引き戸部材のスリット孔が合わさったときに開口し、これらスリット孔がずれたときに閉鎖した状態となる。
【発明の効果】
【００１８】
本発明に係る水槽、オーバーフローパイプを囲う仕切部材によれば、仕切部材の上方を適宜開けて、オーバーフローパイプの存在する排出水域側に水面付近の水を導き、この水面付近の汚れをオーバーフローパイプから排出することができる。そしてこの操作は簡単で、水槽付近を汚す虞も殆どない。しかも安価である。
【発明を実施するための最良の形態】
【００１９】
＜実施形態１＞
図１及び図２の（ａ）は本発明の実施形態１に係る水槽１０を表す斜視図であり、図２の（ｂ）は該水槽１０における仕切部材１１の構造を説明するための断面図であって、図２（ａ）に示す矢印Ｂ方向から見た水槽１０の縦断面図である。尚、図２（ｂ）においては端面を図示している。また図１０と同じ構成部分については同一の符号を付して重複説明を避ける。
【００２０】
直方体の水槽１０のコーナー部６０ａ近傍には、オーバーフローパイプ６１が底板を貫通して立設されており、このオーバーフローパイプ６１を四角く囲う様にして、前面部１１ａと側面部１１ｂからなる仕切部材１１が設けられている。この仕切部材１１の前面部１１ａの上方には矩形の開口部１５が設けられ、この開口部１５の上下にはレール部（上レール部１３，下レール部１４）が形成されている。これら上下レール部１３，１４はその断面がコ字状の溝となっており、この上下レール部１３，１４に引き戸部材１２が嵌装されている（図３：図２（ｂ）に示す開口部１５付近を表す拡大断面図）。尚これら開口部１５、上下レール部１３，１４、引き戸部材１２により窓部が構成されている。
【００２１】
引き戸部材１２には、その中央部と開放側縦辺近傍にボルト１６，１７が設けられており、これらボルト１６，１７はその螺合の深さを調節可能となっている。
【００２２】
尚、水槽１０の側壁及び仕切部材１１は透明材料で構成されているが、図１，図２（ａ）では説明を簡略化するために、これら水槽側壁，仕切部材１１の向こう側に見える部材を破線で表している。またこれら斜視図において水面を仮想線（二点鎖線）で表している。
【００２３】
次に実施形態１の水槽１０の使用方法について述べる。
【００２４】
通常の使用状態のときには、図１に示す様に、引き戸部材１２により開口部１５を閉じておく。この場合は従来と同様に、下方の通水孔（通水部）６３を通して、生息域６４から排出水域６５に水が導入され、排出水域６５を上昇してオーバーフローパイプ６１から排出される。
【００２５】
水面に油膜が形成した場合等の様に水面付近の汚れを除去したいときには、図２（ａ）に示す様に、引き戸部材１２を横にスライドさせて開口部１５を開ける（矢印Ｃ）。このとき開放側縦辺近傍のボルト１７が深く締め込まれ（矢印Ｊ）、その先端部１７ａが引き戸部材１２の裏面よりも突出しているので、仕切部材１１の側面部１１ｂに当接し、それ以上、引き戸部材１２を矢印Ｃ方向にスライドできず、引き戸部材１２が脱落しない（図３、図２（ａ））。尚、中央部のボルト１６を深く締め込む様にした場合には、開口部１５を半分程開けて留めることができる。
【００２６】
この様に開口部１５を開けると、この開口部１５（仕切部材１１の上方）において、生息域６４から排出水域６５に水が行き来でき、水面の油膜等が排出水域６５に導かれて（矢印Ｋ）、オーバーフローパイプ６１から排出されることとなる（矢印Ｇ，Ｈ）。
【００２７】
この様にして水面付近の汚れの除去が終わると、引き戸部材１２を閉めて（矢印Ｄ）、通常の使用状態とする。
【００２８】
以上の如く本実施形態１によれば、水面付近の汚れを簡単に除去することができ、加えて従来の様に水槽付近を汚す虞も殆どない。しかもこの様な構成の仕切部材１１を備えた水槽１０は、安価に製造することができる。
【００２９】
＜実施形態２＞
図４及び図５の（ａ）は本発明の実施形態２に係る水槽２０を示す斜視図であり、図５の（ｂ）は該水槽２０における仕切部材２７の構造を説明するための断面図であって、図５（ａ）に示す矢印Ｌ方向から見た水槽２０の縦断面図である。尚、図５（ｂ）においては端面を図示している。また図１０と同じ構成部分については同一の符号を付して重複説明を避ける。
【００３０】
水槽２０は直方体であり、このコーナー部６０ａ近傍に立設されたオーバーフローパイプ６１を囲う様にしつつ、コーナー部６０ａの両側壁６７，６８を架け渡す様に平板状の仕切本体２１が設けられている。仕切本体２１の上方には四角形の開口部２４が形成され、下方には小さな丸形通水孔（通水部）２３が複数形成されている。これら開口部２４と複数の通水孔２３は、図４，図５（ａ）に示す様に、左右に位置がずれて配置されている（上方左側半分に開口部２４が位置し、下方右側半分に複数の通水孔２３が位置する）。仕切本体２１の上辺及び下辺にはレール部（上レール部２５，下レール部２６）が形成されている。これら上下レール部２５，２６は断面コ字状の溝となっており、この上下レール部２５，２６に引き戸部材２２が嵌装されている。この引き戸部材２２の横幅Ｗ2は仕切本体２１の横幅Ｗ1の１／２の大きさである。
【００３１】
尚、下レール部２６ではそのコ字状の返りが浅く、上レール部２５ではそのコ字状の返りが深くなっており、引き戸部材２２を上下レール部２５，２６に嵌装するにあたっては、先ず引き戸部材２２を上レール部２５に深く差し込み、次いで下レール部２６に嵌める様にすると良い。
【００３２】
上記仕切本体２１と引き戸部材２２により仕切部材２７が構成されており、図４，５（ａ）から分かる様に、仕切部材２７は水槽コーナー部６０ａ付近を三角形に切り欠く様な形状で、平面的に形成されている。
【００３３】
尚、水槽２０の側壁及び仕切部材２７は透明材料で構成されているが、図４，図５（ａ）では説明を簡略化するために、これら水槽側壁，仕切部材２７の向こう側に見える部材を破線で表している。またこれら斜視図において水面を仮想線（二点鎖線）で表している。
【００３４】
次に実施形態２の水槽２０の使用方法について述べる。
【００３５】
通常の使用状態のときには、引き戸部材２２を矢印Ｍ方向にスライドさせて開口部２４を閉じると共に、各通水孔２３を開ける。この場合は従来と同様に、下方の通水孔（通水部）２３を通して、生息域６４から排出水域６５に水が導入され、排出水域６５を上昇してオーバーフローパイプ６１から排出される。
【００３６】
水面に油膜が形成した場合等の様に水面付近の汚れを除去したいときには、引き戸部材２２を矢印Ｎ方向にスライドさせて開口部２４を開けると共に、各通水孔２３を閉める（図５（ａ），（ｂ））。これにより、仕切部材２７の上方の開口部２４を通して、生息域６４から排出水域６５に向かって水を導入でき（矢印Ｏ）、水面の油膜等がオーバーフローパイプ６１から排出されることとなる（矢印Ｇ，Ｈ）。
【００３７】
水面付近の汚れの除去が終わると、引き戸部材２７をスライドさせて（矢印Ｍ）開口部２４を閉め、通常の使用状態とする。
【００３８】
この様に水面付近の汚れを簡単に除去することができ、加えてこの操作において水槽付近を汚す虞も殆どない。
【００３９】
また図４に表す様に引き戸部材２２を中間の位置にすることにより、上方の開口部２４と下方の通水孔（通水部）２３の両方を同時に開けることもできる。水槽の上方の水と底付近の水の両方を排出したい場合には、この様にして開口部２４と通水孔２３の開け具合を調整すると良い。
【００４０】
加えて本実施形態２の水槽２０であれば、仕切部材２７がほぼ平面的であるから、角部分が存在することによる魚等へのストレスが低減する。
【００４１】
＜実施形態３＞
図６は本発明の実施形態３に係る水槽３０を示す斜視図であり、図７はこの仕切部材３７の正面図である。尚、図４，５，１０と同じ構成部分については同一の符号を付して重複説明を避ける。また図６において、透明材料で構成された水槽側壁及び仕切部材３７の向こう側に見える部材を破線で表し、水面を仮想線（二点鎖線）で表している。
【００４２】
本実施形態３の水槽３０においても実施形態２と同様に、仕切部材３７の仕切本体３１がコーナー部６０ａの両側壁６７，６８を架け渡す様に平板状に設けられている。但し、仕切本体３１に設けられた開口部３４が、下方にまで至る大きな縦長の長方形となっている。これ以外の構成は上記実施形態２と同様である。
【００４３】
本実施形態３の場合も、引き戸部材２２をスライドさせることにより、開口部３４や通水孔２３の開閉を行うことができる。具体的には、通常の使用状態のときは、図７（ａ）に示す様に、引き戸部材２２を矢印Ｍ方向にスライドさせて開口部３４を閉じると共に各通水孔２３を開け、底付近の水を排出水域６５に導く様にする。そして必要に応じて、図７（ｂ）に示す様に、引き戸部材２２を矢印Ｎ方向にスライドさせて開口部３４を開けると共に各通水孔２３を閉じ、下方から上方まで水が行き来できる様にする。また図６に示す様に引き戸部材２２を中間の位置にしても良い。
【００４４】
＜実施形態４＞
図８は本発明の実施形態４に係る水槽４０を示す斜視図である。尚、図４，５，１０と同じ構成部分については同一の符号を付して重複説明を避ける。また図８において、透明材料で構成された水槽側壁及び仕切部材４７の向こう側に見える部材を破線で表し、水面を仮想線（二点鎖線）で表している。
【００４５】
実施形態４の仕切部材４７における仕切本体４１も、両側壁６７，６８を架け渡す様に平板状に設けられており、この仕切本体４１には、上辺直下部から下辺直上部に至って斜め方向に細長く伸びた開口（通水窓４８）が形成されている。この通水窓４８の上方が前記開口部に相当し、下方が前記通水部に相当する。これ以外の実施形態４の構成は上記実施形態２と同様である。
【００４６】
図８に示す様に、引き戸部材２２を矢印Ｎ方向にスライドさせて、通水窓４８の下方部分を閉じて上方部分を開ける様にすると（通水部が閉まり、開口部が開いた状態）、生育域６４における上方の水を排出水域６５に導くことができる。引き戸部材２２を矢印Ｍ方向にスライドさせて、通水窓４８の上方部分を閉じて下方部分を開ける様にすると（開口部が閉まり、通水部が開いた状態）、底付近の水を排出水域６５に導くことができる。また引き戸部材２２を中間の位置にして、通水窓４８の上端近傍と下端近傍の２箇所を開ける様にしても良い。
【００４７】
＜実施形態５＞
図９の（ａ）は本発明の実施形態５に係る水槽５０を示す斜視図であり、図９の（ｂ）及び（ｃ）はこの水槽５０の仕切部材５１における上方部分を示す部分拡大正面図である。尚、図１，２，１０と同じ構成部分については同一の符号を付して重複説明を避ける。また図９（ａ）において、透明材料で構成された水槽側壁及び仕切部材５１の向こう側に見える部材を破線で表し、水面を仮想線（二点鎖線）で表している。
【００４８】
上記実施形態１では開口部１５が四角い大きな孔となったものを示したが、本実施形態５においては、この仕切部材５１の前面部５１ａに形成される開口部が、縦方向の複数のスリット孔５５となっている。また上下レール部１３，１４に嵌装される引き戸部材５２には、前面部５１ａのスリット孔（開口部）５５と同形で且つ半ピッチずれた縦方向の複数のスリット孔５３が設けられている。他の構成は実施形態１と同様である。
【００４９】
通常の使用状態のときには、図９（ｂ）に示す様に、引き戸部材５２のスリット孔５３を前面部５１ａのスリット孔５５からずらして閉鎖した状態とする。そして水面付近の汚れを除去したいときには、図９（ａ），（ｃ）に示す様に、引き戸部材５２をスライドさせ（矢印Ｐ）、引き戸部材５２のスリット孔５３と前面部５１ａのスリット孔５５が合わさる様にする。これにより生息域６４の水がスリット孔５３，５５を通して排出水域６５に導かれ、オーバーフローパイプ６１から排出されることとなる。
【００５０】
以上、本発明に係る水槽並びに仕切部材に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【図面の簡単な説明】
【００５１】
【図１】本発明の実施形態１に係る水槽を表す斜視図である。
【図２】（ａ）は本発明の実施形態１に係る水槽を表す斜視図で、（ｂ）は（ａ）に示す矢印Ｂからの矢視縦断面図である。
【図３】図２（ｂ）に示す開口部付近を表す拡大断面図である。
【図４】本発明の実施形態２に係る水槽を示す斜視図である。
【図５】（ａ）は本発明の実施形態２に係る水槽を示す斜視図で、（ｂ）は（ａ）に示す矢印Ｌからの矢視縦断面図である。
【図６】本発明の実施形態３に係る水槽を示す斜視図である。
【図７】実施形態３の仕切部材の正面図である。
【図８】本発明の実施形態４に係る水槽を示す斜視図である。
【図９】本発明の実施形態５に係る水槽を示す図である。
【図１０】（ａ）は従来の水槽６０の一例を表す斜視図で、（ｂ）は（ａ）に示す矢印Ａからの矢視縦断面図である。
【符号の説明】
【００５２】
１０，２０，３０，４０，５０，６０  水槽
１１，２７，３７，４７，５１，６２  仕切部材
１２，２２，５２  引き戸部材
１３，２５  上レール部
１４，２６  下レール部
１５，２４，３４  開口部
１６，１７  ボルト
２１，３１，４１  仕切本体
２３，６３  通水孔（通水部）
４８  通水窓
５３，５５  スリット孔
６１  オーバーフローパイプ
６４  生息域
６５  排出水域
【図１】
2007043944.tif 000003
【図２】
2007043944.tif 000004
【図３】
2007043944.tif 000005
【図４】
2007043944.tif 000006
【図５】
2007043944.tif 000007
【図６】
2007043944.tif 000008
【図７】
2007043944.tif 000009
【図８】
2007043944.tif 000010
【図９】
2007043944.tif 000011
【図１０】
2007043944.tif 000012